(57)【要約】      （修正有）【課題】非石英振動素子及び石英振動周波数の方式によって、ＵＳＢインタフェースとの同期周波数を発生でき、回路のコストを減少できるＵＳＢインタフェースのセルフコントロール式オシレーターを提供する。【解決手段】少なくとも一つの電圧制御オシレーター１０と周波数フィードバック計算調整ユニットを持ち、そのフィードバックのＵＳＢ同期周波数と取ったＵＳＢ同期信号との比較値を計算し、この比較値の大きさにより、電圧制御オシレーター１０から発生した同期周波数は速すぎたか、遅すぎたかを判断することによって、電圧調整オシレーターに周波数調整信号Ｊを送り、電圧制御オシレーター１０から出力されるＵＳＢ同期周波数の大きさを適当に調整され、これにより、非石英振動周波数のセルフコントロール式同期オシレーター１００を構成する。【選択図】    図１
2004207976.tif 000002
【特許請求の範囲】
【請求項１】
少なくとも電圧制御オシレーター（ＶＯＣ）を一つ持ち、それにより、ＵＳＢ同期振動信号を発生させ、ＵＳＢ電子設備の回路に送入し、該ＵＳＢ同期振動信号の同期周波数はＵＳＢ電子設備内の回路作動の基準周波数とする。及び、少なくとも周波数フィードバック計算調整ユニットを一つ持ち、ＵＳＢインタフェースと連結され、ＵＳＢのＤ＋資料線とＤ−資料線の同期信号を取る、又は、電圧制御オシレーターから発生した同期周波数フィードバックを受け、取ったＵＳＢのＤ＋資料線とＤ−資料線の同期信号と電圧制御オシレーターからのフィードバックした同期周波数の比較値を計算し、比較値の大きさによって判断し、フィードバックした同期周波数の速さについての判断結果によって、電圧制御オシレーターに周波数調整信号を送り、電圧制御オシレーターから発生した同期周波数の速さを調整することを特徴とするＵＳＢインタフェ-スのセルフコントロール式オシレーター。
【請求項２】
その中、該周波数フィードバック計算調整ユニットは微積分回路である請求項１に記載されるＵＳＢインタフェ-スのセルフコントロール式オシレーター。
【発明の詳細な説明】
【０００１】
【発明の属する技術分野】
本発明は、特にＵＳＢインタフェ-スの同期振動信号の発生及び使用に対するＵＳＢインタフェースのセルフコントロール式オシレーターであり、非石英振動周波数から構成するセルフコントロール式オシレーターに関するものである。
【０００２】
【従来の技術】
ＵＳＢ（ユニバーサル・シリアル・バス）コネクターは、ＵＳＢインタフェ-ス回路の連結によく使用するものであり、ＵＳＢ信号はＵＳＢジョイントを通じてＵＳＢインタフェース回路と繋がり、さらにＵＳＢ信号をＵＳＢインタフェ-ス回路と連結する電子装置へ伝送されるが、ＵＳＢ電子装置のＵＳＢインタフェース回路とＵＳＢ信号を連結し伝送する途中において、ＵＳＢ電子装置内の回路動作或いは制御動作は必ずＵＳＢ信号の伝送と同期させるので、回路信号の伝送及び動作の同期性を確保するために、ＵＳＢインタフェース回路の中に同期オシレーターを設置し、同期周波数を発生させる。
【０００３】
図４に示すように、従来のＵＳＢインタフェースの同期オシレーターの動作方式とはＵＳＢ信号を伝送する時のＤ＋資料線とＤ−資料線が一定の時間ごとにワンセットの固定同期信号Ｄ１とＤ２（ＵＳＢ Ｖ１．１規格の説明を参照）を発生することを利用し、その信号を取った後、石英振動素子と振動回路と取り合わせて、同期周波数を発生するが、石英振動素子から構成した石英振動線路はＵＳＢンタフェース回路の連結に使用する場合、石英振動線路自身は石英振動素子のコストが高い及び回路設計がかなり複雑などの因素によって、振動線路のコストが高くなり、回路応用の経済性と産業での利用価値に適合しないのほかに、石英振動素子は自然な周波数で、ノイズを発生し易いので、ＵＳＢインタフェースのＵＳＢコネクターは電磁干渉の問題が存在し、ＵＳＢインタフェースの線路と信号の連結伝送の品質と安定性に影響を及ぼされた。
【０００４】
【発明が解決しようとする課題】
そのために、本発明の目的は、電圧制御オシレーター及び周波数フィードバック計算調整ユニットを持ち、非石英振動素子及び石英振動周波数の方式によって、ＵＳＢインタフェースとの同期周波数を発生でき、回路のコストを減少できるＵＳＢインタフェースのセルフコントロール式オシレーターを提供することを目的とする。
本発明のもう一つの目的は、ＵＳＢインタフェースのセルフコントロール式オシレーターを提供し、その中、ＵＳＢインタフェースとＵＳＢ信号の連結及び伝送の電磁ノイズを低減するために、電圧制御オシレーターがフィードバックによって発生した同期周波数を周波数フィードバック計算調整ユニットに送り、フィードバック・コントロールを持つクロス回路システムになる。
【０００５】
【課題を解決するための手段】
上記目的を達するために、本発明のＵＳＢインタフェースのセルフコントロール式オシレーターには少なくとも電圧制御オシレーター（ＶＣＯ）を持ち、ＵＳＢインタフェースの連結線路が必要とするＵＳＢ同期周波数を発生させ、及び、少なくとも周波数フィードバック計算調整ユニットを持ち、ＵＳＢインタフェース中のＵＳＢ同期信号及び上記の電圧制御オシレーターから発生するＵＳＢ同期周波数フィードバックを取る、又は、そのフィードバックのＵＳＢ同期周波数と取ったＵＳＢ同期信号の比較値を計算し、この値の大きさによって、電圧制御オシレーターから発生する同期周波数は速すぎたか、遅すぎたかを判断することによって、周波数調整信号を電圧調整オシレーターに送り、電圧制御オシレーターから出力されるＵＳＢ同期周波数の大きさを適当に調整され、電圧調整オシレーターは非石英振動方式により、ＵＳＢ同期周波数を出力できるようにさせる。
【０００６】
【発明の実施の態様】
まず、図１に示す本発明の回路ブロック図を参照し、その中、セルフコントロール式オシレーター（１００）には、少なくとも電圧制御オシレーター（１０）及び周波数フィードバック計算調整ユニット（２０）を持ち、この電圧制御オシレーター（１０）によりＵＳＢ同期振動信号Ｘを発生させ、該ＵＳＢ同期振動信号Ｘの周波数は最終に取った同期周波数とする、又は、ＵＳＢ同期振動信号ＸはＵＳＢ電子設備（２００）に回路動作或いは制御の同期周波数の基準信号を提供でき、該ＵＳＢ電子設備（２００）はＵＳＢタブ・マシンやＵＳＢデーター・マシンなどコンピューターの周囲設備である。
【０００７】
上記の電圧制御オシレーター（１０）から発生するUSB同期振動信号Ｘは当該周波数フィードバック計算調整ユニット（２０）にフィードバックさせ、該周波数フィードバック計算調整ユニット（２０）は同期周波数のフィードバックを受けさせ、該周波数フィードバック計算調整ユニット（２０）の形態は形の制限がない、微積分回路或いは等価線路からなっても、電圧制御オシレーター（１０）からの同期周波数のフィードバックを受けるほかに、ＵＳＢインタフェース（３００）と連結させ、図４に示すＵＳＢからのＤ＋資料線とＤ−資料線の同期信号Ｄ１及びＤ２を取り、さらに同期信号Ｄ１、Ｄ２と上記の同期周波数の比較値を計算し、そして、この値の大きさにより、周波数調整信号Ｊを送り、電圧制御オシレーター（１０）による同期周波数の速さを調整し、制御される周波数の目安範囲に達する、下記の文章によって、同期周波数の調整及び操作のステップを説明する。
【０００８】
また、図２は本発明のセルフコントロール式オシレーター（１００）の動作流れを示す。ステップは４００〜４４０があり、その中、ステップ（４００）では同期信号を取る。周波数フィードバック計算調整ユニット（２０）はＵＳＢインタフェース（３００）と連結し、ＵＳＢ同期信号Ｄ１及びＤ２を取る(図４に示すことを参照する)。
【０００９】
ステップ（４１０）ではフィードバック周波数と同期信号の比較値の大きさを計算し判断する、即ち、周波数フィードバック計算調整ユニット（２０）はステップ（４００）で取った同期信号Ｄ１及びＤ２と電圧制御オシレーター（１０）から出力する同期周波数を比較して計算し、比較値の大きさによって、同期周波数は速いか遅いかを判断する、もし遅すぎたら、ステップ（４２０）に入り、速すぎたら、ステップ（４３０）に入る。
【００１０】
ステップ（４２０）では加速の周波数調整信号を発生される。即ち、フィードバックする同期周波数は、周波数フィードバック計算調整ユニット（２０）を通じて計算し、遅すぎたと判断した時、周波数フィードバック計算調整ユニット（２０）から電圧制御オシレーターに加速周波数調整信号Ｊを送る。
【００１１】
ステップ（４３０）では減速の周波数調整信号を発生される。即ち、フィードバックする同期周波数は、周波数フィードバック計算調整ユニット（２０）により計算し、速すぎたと判断した時、周波数フィードバック計算調整ユニット（２０）から電圧制御オシレーターに減速周波数調整信号Ｊを送る。
【００１２】
ステップ（４４０）では電圧制御オシレーターから同期周波数を発生される。
上記は本発明のセルフコントロール式オシレーター（１００）の動作流れであり、本発明の技術内容を説明するため操作ステップの説明実行例の一つであり、本発明の範囲に制限されないもので、本発明の電圧制御オシレーター（１０）と周波数フィードバック計算調整ユニット（２０）に関する等価操作の流れは本発明の範囲から離れ無いこと。
【００１３】
図３は、本発明のセルフ・コントロール式オシレーター（１００）の中の電圧制御オシレーター（１０）から出力される同期周波数の波形応答図を示す。図の中で、座標の横軸Ｔは時間で、縦軸Ｖは電圧であり、図３からその周波数調整信号を明らかに見え、周波数波形は短い時間内で平穏な状態を表した。即ち、本発明のセルフコントロール式オシレーター（１００）は非石英振動の同期周波数から発生する効果を採用し、信号の中のノイズを有効的に低減でき、又は、従来の石英オシレーターのやり方と区別でき、線路設計のコストを減少し、線路を簡単化できるので、産業における使用は便利にできると同時に、このフィードバック・クロス回路の同期周波数の生産方式は高精度、安定な同期周波数を取れ、産業での利用価値を持つ最高な発明である。
【００１４】
上記図１〜図３に示す本発明のＵＳＢインタフェースのセルフコントロール式オシレーターに関する説明及び図は、本発明の技術手段及び内容をはっきり説明するためのいい実施例の一つであるが、この範囲に制限されない。本発明の構造の細部に関する改善及び素子の等価代用については、本発明の発明思想及び範囲から離れないように、その範囲は下記の特許請求範囲により、制限される。
【００１５】
【発明の効果】
本発明によれば、電圧制御オシレーター及び周波数フィードバック計算調整ユニットを持ち、非石英振動素子及び石英振動周波数の方式によって、ＵＳＢインタフェースとの同期周波数を発生でき、回路のコストを減少できるＵＳＢインタフェースのセルフコントロール式オシレーターを提供することができる。
【図面の簡単な説明】
【図１】本発明の回路ブロック図である
【図２】本発明の系統動作の流れ図である
【図３】本発明の電圧調整オシレーターから出力する同期周波数の波形応答図である
【図４】従来のＵＳＢインタフェ-ス資料線の同期信号の波形図である
【符号の発明】
１００  セルフコントロール式オシレーター
１０  電圧制御オシレーター
２０  周波数フィードバック計算調整ユニット
２００  ＵＳＢ電子設備
３００   ＵＳＢインタフェース
Ｘ  ＵＳＢ同期振動信号
Ｊ  周波数調整信号
Ｔ  座標横軸
Ｖ  座標縦軸
Ｄ１  同期信号
Ｄ２  同期信号
【図１】
2004207976.tif 000003
【図２】
2004207976.tif 000004
【図３】
2004207976.tif 000005
【図４】
2004207976.tif 000006